(57)【要約】【課題】これまでになく幻想的でユニークな背景画像を有するプリントシールを発行することが可能なプリントシールディスペンサーを提供する。【解決手段】プリントシールディスペンサーのハウジング内部で、被写体となる人物が占める位置の後背部に、カメラ（３１ａ）の視野の少なくとも一部をカバーするように、高輝度の点光源（５０）を多数配置したバックスクリーン装置（５）が設けられ、カメラ（３１ａ）のレンズには特殊効果フィルタ（３２）が自動着脱可能なように装着されていること、を特徴とする。特殊効果フィルタ（３２）としては、クロスライトフィルタ等を好適に用いることができる。【選択図】  図２
2005010225.tif 000002
【特許請求の範囲】
【請求項１】
撮影した画像を電子データとして記録し、出力し得るカメラ（３１ａ）と、
スクリーン面に画像入力用センサーが配置されたタッチパネル式ディスプレイ装置（３３）と、
使用者により操作される入力装置（３３１，３４）と、
シールプリンタ（３５）と、
上記カメラ（３１ａ）により撮影され、記録された電子データを読み出し、記録し、加工し若しくは加工することなく、上記ディスプレイ装置（３３）に表示すべき画像データ信号を編成し、ディスプレイ装置に出力して、所望の画像を表示させると共に、上記シールプリンタ（３５）に所望の画像をプリントさせる画像編成回路（３７）と、
上記構成要素を収容し、かつ、被写体となる少なくとも１人の人物が上記カメラ及びディスプレイ装置に対面し、上記入力装置（３３１，３４）を操作し得る位置に入場し得るよう構成されたハウジング（１）と、
を備えたプリントシールディスペンサーにおいて；
上記ハウジング内部で、被写体となる人物が占める位置の後背部に、カメラ（３１ａ）の視野の少なくとも一部をカバーするように、高輝度の点光源（５０）を多数配置したバックスクリーン装置（５）が設けられ、
カメラ（３１ａ）のレンズには特殊効果フィルタ（３２）が自動着脱可能なように装着されていること、
を特徴とする上記のプリントシールディスペンサー。
【請求項２】
バックスクリーン装置（５）が、上記高輝度の点光源（５０）を形成する多数のピンホール（５１ａ）を明けた交換可能な遮光幕（５１）と、その後背部に設けられた高輝度光源（５２）（例えば、ストロボライト）とから成る請求項１に記載のプリントシールディスペンサー。
【請求項３】
バックスクリーン装置（５）が、表面に多数の高反射率粒子を設けた交換可能なスクリーンと、その前面部に設けられた高輝度光源とから成る請求項１に記載のプリントシールディスペンサー。
【請求項４】
バックスクリーン装置（５）が、表面に多数の小さなライトから成る電飾を施したスクリーンによって構成される請求項１に記載のプリントシールディスペンサー。
【請求項５】
特殊効果フィルタ（３２）がクロスライトフィルタである請求項１に記載のプリントシールディスペンサー。
【発明の詳細な説明】
【０００１】
【発明の属する技術分野】
本発明は、プリントシールディスペンサーに関し、特に、これまでにない幻想的でユニークな背景画像を撮影し、シール用紙にプリントして客に提供し得るプリントシールディスペンサーに関する。
【０００２】
【従来の技術】
ハウジング内に入った１人又は複数の客を、客の好みのポーズで撮影し、その画像を客の希望する背景画像や文字等と合成してシール用紙に複数駒プリントして発行するシールディスペンサーは、遊技場、デパート、イベント会場等に設置され、遊び感覚でスナップ写真を撮るという目的で広く楽しまれている。通常は、同じ画像が同時に複数枚並べてプリントアウトされるので、それらを仲間で分けあい、各人がストックブックに貼り付けて保存し、コレクションにすることも楽しみの一つとされている。
【０００３】
しかしながら、通常、被写体は自分及び親しい友人や家族であり、撮影場所はシールディスペンサーのハウジング内に限られているため、いつも似たような写真ばかりが撮影される結果となり、新鮮さや面白みに欠けるという問題があった。
これを解決するため、被写体の背後に、世界各地の名所の風景写真や有名タレントの写真等を客の好みに合わせて種々交換可能なように配置して、それらの画像と共に客が撮影されるようにするなどの工夫が行われてきたが、それも次第に飽きられてきた。
【０００４】
【発明が解決しようとする課題】
本発明は、上記の問題点を解決するためになされたものであり、その目的とするところは、これまでになく幻想的でユニークな背景画像を有するプリントシールを発行することが可能なプリントシールディスペンサーを提供することにある。
【０００５】
【課題を解決するための手段】
本発明の上記の目的は、
撮影した画像を電子データとして記録し、出力し得るカメラと、
スクリーン面に画像入力用センサーが配置されたタッチパネル式ディスプレイ装置と、
使用者により操作される入力装置と、
シールプリンタと、
上記カメラにより撮影され、記録された電子データを読み出し、記録し、加工し若しくは加工することなく、上記ディスプレイ装置に表示すべき画像データ信号を編成し、ディスプレイ装置に出力して、所望の画像を表示させると共に、上記シールプリンタに所望の画像をプリントさせる画像編成回路と、
上記構成要素を収容し、かつ、被写体となる少なくとも１人の人物が上記カメラ及びディスプレイ装置に対面し、上記入力装置を操作し得る位置に入場し得るよう構成されたハウジングと、
を備えたプリントシールディスペンサーにおいて；
上記ハウジング内部で、被写体となる人物が占める位置の後背部に、カメラの視野の少なくとも一部をカバーするように、高輝度の点光源を多数配置したバックスクリーン装置が設けられ、
カメラのレンズには特殊効果フィルタが自動着脱可能なように装着されていること、
を特徴とする上記のプリントシールディスペンサーによって達成できる。
【０００６】
上記バックスクリーン装置としては、上記高輝度の点光源を形成する多数のピンホールを明けた交換可能なカーテン、ブラインド又はボード等の遮光幕と、その後背部に設けられたストロボライト等の高輝度光源とから成るものが好適に用いられる。
或いはまた、上記バックスクリーン装置として、表面に多数の高反射率粒子を設けた交換可能なカーテン、ブラインド又はボード等のスクリーンと、その前面部に設けられたストロボライト等の高輝度光源とから成るものも好適に用いることができる。
更にまた、上記バックスクリーン装置として、表面に多数の小さなライトから成る電飾を施したスクリーンによって構成されるものを用いるようにしてもよい。
特殊効果フィルタとしては、最も代表的にはクロスライトフィルタを好適に用いることができる。
【０００７】
【発明の実施の形態】
以下、図面を参照しつゝ本発明を具体的に説明する。
図１は、本発明に係るプリントシールディスペンサーの一実施例の説明図、図２は、カメラとバックスクリーン装置の配置を示す上面図、図３は、図１に示したプリントシールディスペンサーの回路構成を示すブロック図、図４は、撮影された画像の一例を示す説明図である。
【０００８】
図１中、１はハウジング、１ａはカーテンで仕切られる出入口、１ｂは背後壁、２は１人又は数人の使用者（客）が入る被写体スペース、３はシール作成販売機、３１ａは正面カメラ、３１ｂは上部カメラ、３２は正面カメラ３１ａのレンズの前面に自動着脱可能なよう可動方式で取り付けられた特殊効果フィルタ、３３はタッチパネル式ディスプレイ装置、３３１はタッチパネル式の撮影用操作部、３４はタッチペン、３５１はシールプリンタ３５（図３参照）のプリントシール発行口、３６は料金徴収装置、４ａ及び４ｂは室内照明用の蛍光灯、５はバックスクリーン装置、５１はその遮光幕、５３はストロボ等の高輝度光源を収容する遮光カバーである。
タッチパネル式の撮影用操作部３３１とタッチペン３４が、使用者により操作される入力装置に該当する。
上記バックスクリーン装置５は、図２に示すように、多数のピンホール５１ａを明けたカーテンやブラインド、ボード等の遮光幕５１と、遮光幕５１の背後に設けられるストロボ等の高輝度光源５２と、これを収容する遮光カバー５３等々から構成され、高輝度光源５２を点灯すると、遮光幕５１に明けた多数のピンホール５１ａを通過した光が、外部からは高輝度の点光源５０となって見えるようになっている。
また、図３中、３１ａは前記カメラ、３２は特殊効果フィルタ、３２１はフィルタ駆動装置、３３はタッチパネル式ディスプレイ装置、３３１はタッチパネル式の撮影用操作部、３４はタッチペン、３５はシールプリンタ、３６は料金徴収装置、３７は画像編成回路、３８１はサウンド回路、３８２はスピーカ、５は前記バックスクリーン装置、５１は遮光幕、５３は遮光カバー、５４は光源点灯回路である。
画像編成回路３７中、３７１は演算装置（ＣＰＵ）、３７２はクロック回路、３７３はＲＯＭ、３７４はＲＡＭ、３７５は画像処理回路、３７６はカメラ制御回路である。
【０００９】
ハウジング１内は、シール作成販売機３の上段左右に設けた蛍光灯４ａ及び下段左右に設けた蛍光灯４ｂと、その他必要に応じて設けられる照明ランプによって常時照明されるようになっている。
ハウジング１の出入口１ａから被写体スペース２に入った使用者は、料金徴収装置３６に所定の料金を投入し、シール作成販売機３のタッチパネル式ディスプレイ装置３３の一部に設けたタッチパネル式のボタンを配列した撮影用操作部３３１を操作して、ディスプレイ装置３３上に表示される様々な背景画像の中から希望する背景画像を選択する。次いで、正面カメラ３１ａ又は上部カメラ３１ｂのいずれで撮影を行なうかを選択した上で、操作部３３１の撮影ボタンを押すと、セルフタイマー形式で数秒後に撮影が行なわれるので、その数秒の間に選択したカメラに向かってポーズを決めるようにする。
【００１０】
撮影時には、正面の上段の蛍光灯４ａよりも奥側、及び下段の蛍光灯４ｂよりも奥側にそれぞれ設けたストロボライト（図では省略）が、カメラと同期して同時に発光するようになっている。
１回の撮影が終わると、タッチパネル式ディスプレイ装置３３上に、予め選択した背景画像上に、撮影した人物像を合成した映像が表示されるので、使用者はその上にタッチペン３４を用いて自筆の文字、図案等を記入する。
通常のプリントシールディスペンサーにおいては、１回の料金投入で６〜１０回の撮影ができるようになっているので、以下同様の操作を繰り返し、背景画像やポーズの異なった写真を６〜１０種類撮影する。
【００１１】
すべての撮影が終了すると、シール作成販売機３内で画像処理とプリントが行なわれ、最後の撮影から数十秒後に、予め選択した背景画像と、撮影した人物像と、自筆の書込みとの合成画像がプリントされた小さなシールが台紙に複数枚貼り付いた状態で、プリントシール発行口３５１から排出される。
【００１２】
而して、本発明に係るプリントシールディスペンサーは、背景画像として、前記の如く、これまでにない幻想的でユニークな映像を撮影し、プリントできるようになっている。
即ち、本発明においては、被写体スペース２内で被写体となる人物（使用者）が占める位置の後背部に、図２に示す如く、カメラ３１ａの視野の少なくとも一部をカバーするように、高輝度の点光源５０を多数配置したバックスクリーン装置５が設けられると共に、カメラ３１ａのレンズの前面には特殊効果フィルタ３２が自動着脱可能なよう例えばＹ軸方向に往復移動可能なように装着されている。
【００１３】
特殊効果フィルタ３２としては、例えばクロスライトフィルタが用いられ、このクロスライトフィルタを通じると、高輝度の点光源５０がそれぞれ十文字状の４本の光条となって見え、カメラ３１ａでもそのように撮影されるものである。具体的には、図４に示すように、被写体である人物の背後に多数の十文字状の４本の光条が撮影されるものである。
この光条は、必ずしも４本の十文字状のものに限らず、特殊効果フィルタ３２を交換することによって、６本若しくは８本の光条のものや、更には、雪形、星形、ハート形のものなど、さまざまな形状の小さな光輝が多数見えるようにすることが可能であり、これを撮影し、シールプリンタ３５によりシール用紙に印刷して提供することができる。
このような特殊効果フィルタ３２としては、例えば、株式会社ケンコーの販売に係る「Ｒ−クロススクリーン（商品名）」、「Ｒ−スノークロス（商品名）」、「Ｒ−サニークロス（商品名）」等を用いることができる。
【００１４】
なお、上記実施例では、バックスクリーン装置５として、多数のピンホール５１ａを明けたカーテン、ブラインド又はボード等の遮光幕５１と、その後背部に設けられたストロボライト等の高輝度光源５２とから成るものを用いたが、バックスクリーン装置５の構成はこれに限らず、例えば、カーテン、ブラインド又はボードなどのスクリーンの表面に、スパンコールやミラー等の多数の高反射率粒子を織り込み若しくは取り付けたものと、その前面部に設けられたストロボライト等の高輝度光源とから成るものを用いることも可能である。その場合には、スクリーンの表面の多数の高反射率粒子が、これを照らす高輝度光源の光を反射して、高輝度の点光源を形成するものであり、これら多数の高輝度の点光源を特殊効果フィルタ３２を通じて撮影することにより、前記と同様の４本、６本若しくは８本の光条や、雪形、星形、ハート形等の多数の光輝が、被写体である人物の背後に幻想的に撮影されるものである。
また、バックスクリーン装置５として、表面に多数の小さなライトから成る電飾を施したスクリーンによって構成されるものを用いるようにしてもよい。
【００１５】
更にまた、バックスクリーン装置５のカーテン等の遮光幕やスクリーンを種々交換すると共に、特殊効果フィルタ３２を種々交換することにより、多種多様な幻想的でユニークな背景画像を形成することができる。
例えば、カーテンとして、単色のもの以外に、グラデーションのあるもの、写真を印刷したもの、各種パターンを印刷、染色したもの等々を用いることも可能である。レースやメッシュ布などの布目にストロボライトの光を通過させて無数の高輝度の点光源を形成することも可能である。
また、カラフルなパターンとズーム系のフィルタを用いて、集中線のような画像効果をつけることも可能である。
更にまた、風景写真を印刷したカーテンとソフトフォーカスフィルタで、実際の風景をバックにしたように見せることも可能である。
従って、本発明によるときは、バックスクリーン装置５のカーテン等の遮光幕やスクリーンを種々交換したり、特殊効果フィルタ３２を種々交換するという簡単な作業で、背景画像を容易に多種多様に変化させることができるという効果も達成できる。
【００１６】
次に、上記の如くしてカメラ３１ａにより撮影された映像を、シール用紙にプリントして発行する構成を、図３を参照しつつ説明する。
カメラ３１ａのレンズの前面に可動式の特殊効果フィルタ３２を設けると共に、被写体の背後に、多数の高輝度の点光源を形成するためのバックスクリーン装置５を設けるという本発明に特有の構成以外は、通常のプリントシールディスペンサーの構成と同様であるので、簡単に説明する。
【００１７】
画像編成回路３７は、画像編成のための一種のコンピューターを構成するものであり、演算装置（ＣＰＵ）３７１、クロック回路３７２、ＲＯＭ３７３、ＲＡＭ３７４、画像処理回路３７５、カメラ制御回路３７６、データバス３７７等々から構成され、必要に応じて大容量のハードディスク等が設けられる場合もある。また、画像処理回路３７５及びカメラ制御回路３７６以外の構成要素は、画像編成のため以外の作動、例えば料金徴収額の適否の判別とか、使用者へのアナウンスのためのサウンド回路への指令信号の授受等の作動、バックスクリーン装置５内のストロボライト等の光源点灯回路５４の作動、等々の制御も兼用して行うものである。
【００１８】
ＣＰＵ等から成る演算装置３７１は、プリントシールディスペンサー全体の作動を統括制御するものであり、画像処理回路３７５やカメラ制御回路３７６の作動の制御もこの演算装置１からの指令に基づいて行なわれる。
クロック回路３７２は、演算装置１その他のハードウェアの作動のために必要なクロックパルスを発振する回路である。
ＲＯＭ３７３は、プリントシールディスペンサーの作動に必要なすべてのデータを記録したＲＯＭであり、作動用プログラムのほか、画像データや音声データ等も記録されている。
ＲＡＭ３７４は、演算装置１の作動に必要なデータの授受を行なういわゆるワーキングＲＡＭである。
画像処理装置３７５は、演算装置１からの指令に従い、カメラ３１ａで撮影した画像データや、タッチペン３４でタッチパネル式ディスプレイ装置装置３３の画面上に書き込まれた文字や図形等を結合、編成し、更に必要に応じて画像加工を行って、ディスプレイ装置３３に表示すると共に、シールプリンタ３５によりプリントするための画像データの編成処理を行う回路である。
カメラ制御回路３７６は、カメラ３１ａの撮影動作を制御すると共に、撮影された画像データをカメラ３１ａから上記画像処理装置３７５へ送出する回路である。
データバス３７７は、上記の如き各回路要素間のデータの伝送を行う線路である。
フィルタ駆動装置３２１は、使用者が背景画像として上記の如き４〜８本の光条や、雪形、星形、ハート形等の多数の光輝を選択した場合には、それらに対応する特殊効果フィルタ３２をカメラ３１ａのレンズの前にもたらし、それ以外の背景画像が選択された場合には、特殊効果フィルタ３２をカメラ３１ａのレンズの前から取り除くよう移動させる装置である。
【００１９】
本発明のプリントシールディスペンサーにおける主要な機能、即ち、カメラ３１ａにより被写体等を撮影し、その撮影された画像の電子データを読み出し、記録し、使用者によって書き込まれた文字等と共に加工し、若しくは加工することなく、所望の画像データ信号を編成し、ディスプレイ装置に出力して、所望の画像を表示させると共に、シールプリンタに出力して、所望の画像をプリントし発行するという一連の作動は、上記ＲＯＭ３７３から読み出され、演算装置３７１や画像処理回路３７５にインストールされたコンピュータープログラムを、これら演算装置３７１、ＲＡＭ３７４、画像処理回路３７５等のハードウェア資源により実行することによって実現されるものである。
【００２０】
なお、本発明は上記の実施例に限定されるものでなく、その目的の範囲内において上記の説明から当業者が容易に想到し得るすべての変更実施例を包摂するものである。
【００２１】
【発明の効果】
本発明は以上の如く構成されるから、本発明によるときは、これまでになく幻想的でユニークな背景画像を有するプリントシールを発行することができ、当該背景画像のさまざまな変更も容易に可能なプリントシールディスペンサーを提供し得るものである。
【図面の簡単な説明】
【図１】本発明に係るプリントシールディスペンサーの一実施例の説明図である。
【図２】カメラとバックスクリーン装置の配置を示す上面図である。
【図３】図１に示したプリントシールディスペンサーの回路構成を示すブロック図である。
【図４】撮影された画像の一例を示す説明図である。
【符号の説明】
１                ハウジング
１ａ      出入口
１ｂ      背後壁
２          被写体スペース
３          シール作成販売機
３１ａ        正面カメラ
３１ｂ    上部カメラ
３２      特殊効果フィルタ
３２１    フィルタ駆動装置
３３      タッチパネル式ディスプレイ装置装置
３３１    タッチパネル式撮影用操作部
３４      タッチペン
３５      シールプリンタ
３５１    プリントシール発行口
３６      料金徴収装置
３７      画像編成回路
３７１    演算装置（ＣＰＵ）
３７２    クロック回路
３７３    ＲＯＭ
３７４    ＲＡＭ
３７５    画像処理回路
３７６    カメラ制御回路
３７７    データバス
３８１    サウンド回路
３８２    スピーカ
４  ａ，４ｂ  室内照明灯
５          バックスクリーン装置
５０      高輝度の点光源
５１      遮光幕
５１ａ    ピンホール
５２      高輝度光源
５３      遮光カバー
５４      光源点灯回路
【図１】
2005010225.tif 000003
【図２】
2005010225.tif 000004
【図３】
2005010225.tif 000005
【図４】
2005010225.tif 000006